(57)【要約】【課題】給水口と吐出口とが設けられたケーシングを備えるポンプにおいて、ケーシングの変形を抑制する。【解決手段】給水口８と、吐出口９と、が設けられたケーシング３と、羽根部５ａを有する回転子５を有し、回転子５を回転させることでケーシング３内において給水口８から吐出口９に向かう流れを作るモータ部７と、ケーシング３に対して、モータ部７が取り付けられるモータ部取り付け方向側とは反対側から、取り付けられる補強板２と、を備え、補強板２は、ケーシング３におけるモータ部取り付け方向側に対する側面２８に対向する、側面対向部２ａを有するポンプ１。【選択図】図１
2019157695.tif 000002
【特許請求の範囲】
【請求項１】
給水口と、吐出口と、が設けられたケーシングと、
羽根部を有する回転子を有し、前記回転子を回転させることで前記ケーシング内において前記給水口から前記吐出口に向かう流れを作るモータ部と、
前記ケーシングに対して、前記モータ部が取り付けられるモータ部取り付け方向側とは反対側から、取り付けられる補強板と、を備え、
前記補強板は、前記ケーシングにおける前記モータ部取り付け方向側に対する側面に対向する、側面対向部を有することを特徴とするポンプ。
【請求項２】
請求項１に記載のポンプにおいて、
前記補強板は、前記ケーシングに対する固定部が形成され、前記固定部は前記側面対向部の対向領域とは異なる位置に形成されていることを特徴とするポンプ。
【請求項３】
請求項２に記載のポンプにおいて、
前記補強板は、略矩形であって、４隅に前記固定部が形成され、前記固定部間の少なくとも１つの領域に前記側面対向部を有することを特徴とするポンプ。
【請求項４】
請求項１から３のいずれか１項に記載のポンプにおいて、
前記側面対向部は、前記ケーシングの側面に当接することを特徴とするポンプ。
【請求項５】
請求項１から４のいずれか１項に記載のポンプにおいて、
前記ケーシングは、
前記モータ部取り付け方向側とは反対側に、前記給水口が設けられた給水口形成面を有し、
前記ケーシングの側面に前記吐出口を有することを特徴とするポンプ。
【請求項６】
請求項５に記載のポンプにおいて、
前記給水口形成面には、前記モータ部取り付け方向側とは反対側のリブ形成方向側に突出するように、複数のリブが形成されていることを特徴とするポンプ。
【請求項７】
請求項６に記載のポンプにおいて、
前記リブは、前記補強板に接触していることを特徴とするポンプ。
【請求項８】
請求項１から７のいずれか１項に記載のポンプにおいて、
前記ケーシングの側面には、肉厚部が形成されていることを特徴とするポンプ。
【請求項９】
請求項８に記載のポンプにおいて、
前記ケーシングのモータ部取り付け方向側の端部にシール部材が配置され、
前記肉厚部は、前記ケーシングのモータ部取り付け方向側の端部まで形成されていることを特徴とするポンプ。
【発明の詳細な説明】
【技術分野】
【０００１】
本発明は、ポンプに関する。
【背景技術】
【０００２】
従来から、様々なポンプが使用されている。このようなポンプのうち、給水口と吐出口とが設けられたケーシングを備えているポンプがある。  
また、ポンプは様々な使用条件で使用されるので、従来からポンプの強度を高くするために様々な技術を採用している。例えば、特許文献１には、ケーシングの上側に補強板を配置するとともに、該ケーシングの上面にリブが形成されているポンプが開示されている。
【先行技術文献】
【特許文献】
【０００３】
【特許文献１】特開２０１４−１７７８８１号公報
【発明の概要】
【発明が解決しようとする課題】
【０００４】
しかしながら、例えば減圧器を備えない場合、水栓の急な開閉によりいわゆるウォーターハンマー現象が発生し、ポンプのポンプ室内に高い圧力が加わってしまい、ポンプ、特にケーシングが変形してしまったり破損してしまう場合がある。そして、単純にケーシングの上側に補強板を配置したり、単純にケーシングの上面にリブを形成したりするだけでは、ケーシングの変形を抑制しきれない場合がある。例えば、ケーシングの変形に伴い補強板も変形し、結果的に、ケーシングの変形を抑制しきれず、最悪の場合破損してしまう虞がある。
【０００５】
そこで、本発明の目的は、給水口と吐出口とが設けられたケーシングを備えるポンプにおいて、ケーシングの変形を抑制することである。
【課題を解決するための手段】
【０００６】
本発明の第１の態様に係るポンプは、給水口と、吐出口と、が設けられたケーシングと、羽根部を有する回転子を有し、前記回転子を回転させることで前記ケーシング内において前記給水口から前記吐出口に向かう流れを作るモータ部と、前記ケーシングに対して、前記モータ部が取り付けられるモータ部取り付け方向側とは反対側から、取り付けられる補強板と、を備え、前記補強板は、前記ケーシングにおける前記モータ部取り付け方向側に対する側面に対向する、側面対向部を有することを特徴とする。
【０００７】
本態様によれば、補強板を備え、該補強板はケーシングの側面に対向する側面対向部を有する。側面対向部を形成することにより、補強板の強度自体を高くすることができ、高い強度の補強板によりケーシングの変形を抑制できる。
【０００８】
本発明の第２の態様に係るポンプは、前記第１の態様において、前記補強板は、前記ケーシングに対する固定部が形成され、前記固定部は前記側面対向部の対向領域とは異なる位置に形成されていることを特徴とする。
【０００９】
固定部が側面対向部の対向領域に形成される構成の場合、側面対向部の形成に伴い固定部が変形する場合がある。しかしながら、本態様によれば、固定部は側面対向部の対向領域とは異なる位置に形成されているので、固定部の変形を抑制できる。したがって、補強板をケーシングに適切に固定することができ、ケーシングの変形を抑制できる。
【００１０】
本発明の第３の態様に係るポンプは、前記第２の態様において、前記補強板は、略矩形であって、４隅に前記固定部が形成され、前記固定部間の少なくとも１つの領域に前記側面対向部を有することを特徴とする。
【００１１】
本態様によれば、補強板は、略矩形であって、４隅に固定部が形成され、固定部間の少なくとも１つの領域に側面対向部を有する。このため、変形しやすい４隅の間の領域（固定部間の領域）の強度を簡単な構成で高くすることができる。すなわち、簡単に、固定部の変形を効果的に抑制できる補強板を形成できる。
【００１２】
本発明の第４の態様に係るポンプは、前記第１から第３のいずれか１つの態様において、前記側面対向部は、前記ケーシングの側面に当接することを特徴とする。
【００１３】
本態様によれば、補強板はケーシングの側面に当接する側面対向部を有するので、ケーシングを側面側から補強でき、該補強板によりケーシングの変形を効果的に抑制できる。
【００１４】
本発明の第５の態様に係るポンプは、前記第１から第４のいずれか１つの態様において、前記ケーシングは、前記モータ部取り付け方向側とは反対側に、前記給水口が設けられた給水口形成面を有し、前記ケーシングの側面に前記吐出口を有することを特徴とする。
【００１５】
本態様によれば、給水口がモータ部取り付け方向側とは反対側に設けられ、側面に吐出口が設けられるケーシング構成のポンプにおいて、ケーシングの変形を抑制できる。
【００１６】
本発明の第６の態様に係るポンプは、前記第５の態様において、前記給水口形成面には、前記モータ部取り付け方向側とは反対側のリブ形成方向側に突出するように、複数のリブが形成されていることを特徴とする。
【００１７】
本態様によれば、補強板だけでなく、複数のリブによって、ケーシングの変形を効果的に抑制できる。
【００１８】
本発明の第７の態様に係るポンプは、前記第６の態様において、前記リブは、前記補強板に接触していることを特徴とする。
【００１９】
本態様によれば、リブは補強板に接触しているので、該補強板によりケーシングの変形を特に効果的に抑制できる。
【００２０】
本発明の第８の態様に係るポンプは、前記第１から第７のいずれか１つの態様において、前記ケーシングの側面には、肉厚部が形成されていることを特徴とする。
【００２１】
本態様によれば、ケーシングの側面には肉厚部が形成されているので、該肉厚部によりケーシングの変形を効果的に抑制できる。
【００２２】
本発明の第９の態様に係るポンプは、前記第８の態様において、前記ケーシングのモータ部取り付け方向側の端部にシール部材が配置され、前記肉厚部は、前記ケーシングのモータ部取り付け方向側の端部まで形成されていることを特徴とする。
【００２３】
本態様によれば、ケーシングのモータ部取り付け方向側の端部にシール部材が配置され、肉厚部はケーシングのモータ部取り付け方向側の端部まで形成されている。このため、広い面積でシール部材を挟み込むことが可能になり、シール部材のずれなどによる流体の漏れなどを効果的に抑制できる。
【発明の効果】
【００２４】
本発明のポンプは、給水口と吐出口とが設けられたケーシングを備える構成において、ケーシングの変形を抑制することができる。
【図面の簡単な説明】
【００２５】
【図１】本発明の実施例１に係るポンプを表す概略斜視図である。
【図２】図１で表されるポンプから補強板を外した状態を表す概略斜視図である。
【図３】図２で表されるポンプからケーシングを外した状態を表す概略斜視図である。
【図４】図３で表されるポンプから隔壁部材を外した状態を表す概略斜視図である。
【図５】図４で表されるポンプから回転子及びモータ部ケーシングを外した状態を表す概略斜視図である。
【図６】本発明の実施例１に係るポンプを表す概略側面断面図である。
【図７】本発明の実施例１に係るポンプのケーシングを表す概略側面図である。
【図８】本発明の実施例１に係るポンプのケーシングを表す概略斜視図である。
【図９】本発明の実施例１に係るポンプのケーシングを表す概略斜視図である。
【図１０】本発明の実施例１に係るポンプのケーシングを表す概略斜視図である。
【図１１】本発明の実施例１に係るポンプのケーシングを表す概略斜視図である。
【図１２】本発明の実施例１に係るポンプの補強板を表す概略底面図である。
【図１３】本発明の実施例１に係るポンプの補強板を表す概略斜視図である。
【図１４】本発明の実施例１に係るポンプの補強板を表す概略斜視図である。
【図１５】本発明の実施例２に係るポンプを表す概略斜視図である。
【図１６】図１５で表されるポンプから補強板を外した状態を表す概略斜視図である。
【図１７】本発明の実施例２に係るポンプの補強板を表す概略斜視図である。
【発明を実施するための形態】
【００２６】
［実施例１］（図１〜図１４）  
以下に、本発明の実施例１に係るポンプ１について説明する。  
ここで、図１は、本実施例のポンプ１を表す概略斜視図である。また、図２は、図１で表されるポンプ１から補強板２を外した状態を表す概略斜視図である。また、図３は、図２で表されるポンプ１からケーシング３を外した状態を表す概略斜視図である。また、図４は、図３で表されるポンプ１から隔壁部材４及びモータ部ケーシング６を外した状態を表す概略斜視図である。また、図５は、図４で表されるポンプ１から回転子５を外した状態を表す概略斜視図である。そして、図６は、本実施例のポンプ１を表す概略側面断面図である。  
ここで、図中のＸ方向は水平方向であり、Ｙ方向は水平方向であってＸ方向と直交する方向であり、Ｚ方向は鉛直方向である。また、以下においては、矢印方向を＋方向、矢印方向と反対方向を−方向とする。例えば、鉛直上方向は＋Ｚ方向、鉛直下方向は−Ｚ方向とする。
【００２７】
（ポンプ１の概要）  
最初に、本実施例のポンプ１の概要について説明する。  
図１で表されるように、本実施例のポンプ１は、金属製の補強板２と、樹脂製のケーシング３と、樹脂製の隔壁部材４と、樹脂製の回転子５（図４参照）を回転させるモータ部７とを備えている。ケーシング３には、給水口８と、吐出口９と、排水栓部１０とが設けられている。そして、給水口８及び吐出口９に水などの流体を流す管などを繋ぎ、排水栓部１０に栓１１をした状態でモータ部７を駆動させる（回転子５を回転させる）ことにより、流体を、給水口８からケーシング３と隔壁部材４とで囲まれるポンプ室３３（図６参照）に供給するとともに該ポンプ室３３から吐出口９を介して吐出させることが可能な構成になっている。ここで、ポンプ室３３は、図６で表されるように、図９から図１１で表されるケーシング３の内部と、隔壁部材４における円柱状の凹部４ｂ（図６参照）の内側部分と、で構成される領域である。なお、本実施例のポンプ１の具体的な配置に特に限定はないが、上位装置（本実施例のポンプ１の取り付け位置）に対して、吐出口９が上側、排水栓部１０が下側となるように配置されることが一般的である。
【００２８】
なお、図４及び図６で表されるように、回転子５は羽根部５ａと該羽根部５ａの下側（−Ｚ方向側）に形成される円筒形状部５ｂとを有しており、円筒形状部５ｂが隔壁部材４の内部（隔壁部材４における円柱状の凹部４ｂ）に収められるように配置される。そして、ケーシング３と隔壁部材４の上面部４ａとの間には、図３で表されるように、該間から流体が漏れ出すことや外部からの異物の侵入を抑制するためにリング状のシール部材１２が配置されている。
【００２９】
また、本実施例のポンプ１は、該ポンプ１の不使用時などにおいて排水栓部１０から栓１１を外すことで、ポンプ室３３にある流体を、該排水栓部１０を介して排出することが可能な構成になっている。
【００３０】
ここで、上記のように、本実施例のポンプ１においては、補強板２は金属製であり、ケーシング３や隔壁部材４などは樹脂製である。補強板２を金属製とすることで補強効果を高めることができ、ケーシング３や隔壁部材４を樹脂製とすることでケーシング３や隔壁部材４の製造を容易にすることができるが、補強板２、ケーシング３及び隔壁部材４などの素材に特に限定はない。
【００３１】
（モータ部７）  
次に、モータ部７について説明する。  
図４から図６で表されるように、モータ部７は、ロータ１３と、ステータ１４と、モータ部７を制御するための回路基板１５とを備えている。ここで、回転子５、ロータ１３、ステータ１４および回路基板１５は、モータ部７の一部を構成するモータ部ケーシング６の内部に配置されている。図１で表されるように、補強板２、ケーシング３、隔壁部材４及びモータ部ケーシング６は、ネジ１６及びナット１７によって互いに固定されている。
【００３２】
ロータ１３は、図５及び図６で表されるように駆動用磁石１８と円筒状のスリーブ１９とを備え、また、図４及び図６で表されるように駆動用磁石１８およびスリーブ１９を保持する円筒形状部５ｂ（回転子５）を備えている。円筒形状部５ｂは、鍔付きの略円筒状に形成されている。図６で表されるように、駆動用磁石１８は、円筒形状部５ｂの外周側に固定され、スリーブ１９は、円筒形状部５ｂの内周側に固定されている。なお、円筒形状部５ｂの上側（＋Ｚ方向側）には、羽根部５ａが形成されている。すなわち、回転子５は、ロータ１３に取り付けられている。回転子５およびロータ１３は、ポンプ室３３（正確には、隔壁部材４の円柱状の凹部４ｂの内側）に配置されている。
【００３３】
ロータ１３は、図６で表されるように、Ｚ方向に沿う回転軸２０に回転可能に支持されている。すなわち、ロータ１３の軸方向は上下方向である。なお、回転軸２０は、スリーブ１９の内周側に挿通されている。
【００３４】
ステータ１４は、駆動用コイル２１と、ステータコア２２と、絶縁部材としてのインシュレータ２３とを備えており、全体として略円筒状に形成されている。ステータ１４は、隔壁部材４の円柱状の凹部４ｂを介して、ロータ１３の外周側に配置されている。すなわち、ロータ１３とステータ１４との間には隔壁部材４の円柱状の凹部４ｂが配置されている。また、ステータ１４は、ステータ１４の軸方向と上下方向（Ｚ方向）とが一致するように配置されている。
【００３５】
また、図４及び図５で表されるように、ステータ１４は、駆動用コイル２１の端部が絡げられて電気的に接続される複数の端子ピン２４を備えている。端子ピン２４は、端子ピン２４の長手方向と上下方向とが一致するように配置されている。すなわち、端子ピン２４は、上下方向（ロータ１３の軸方向）と平行に配置されている。
【００３６】
（ケーシング３）  
次に、本実施例のポンプ１のケーシング３について説明する。  
ここで、図７は、本発明のポンプ１のケーシング３を表す概略側面図である。また、図８から図１１は、何れも、本実施例のポンプ１のケーシング３を表す概略斜視図であり、夫々、異なる方向から見た斜視図である。
【００３７】
本実施例のケーシング３には、図８で表されるように、給水口８が設けられた給水口形成面３０に、上側（＋Ｚ方向）に突出する複数のリブ２５が形成されている。本実施例のポンプ１は、このような構成により、詳細は後述する補強板２だけでなく、複数のリブ２５によって、ケーシング３の変形を効果的に抑制している。
【００３８】
また、複数のリブ２５のうちのリブ２５ａは、排水栓部１０における排水経路１０ｂの上部（外周部分）に形成されている。本実施例のケーシング３は、排水栓部１０を形成していることでケーシング３を対称形状にしていない。一般的に、対称形状でないケーシング３を備えるポンプ１に流体を強い圧力で流すと排水栓部１０の形成部分が変形しやすい。しかしながら、排水栓部１０の外周部分などにリブ２５を形成することで、排水栓部１０の強度を高くできる。
【００３９】
リブ２５が複数形成されていることが好ましいが、リブ２５の数や配置などに特に限定はない。ただし、ケーシング３を成形する際の材料投入口（ゲート）や、材料投入口から導入された材料同士が交わる部分（ウェルドライン）に対応する部分の近傍にリブ２５を設ける構成が特に好ましい。
【００４０】
また、本実施例のケーシング３は、図２及び図８などで表されるように、給水口８が設けられた給水口形成面３０を有している。また、図１、図２、図７から図１１で表されるように、給水口形成面３０に対する側面２８に、吐出口９と排水栓部１０とを有している。また、図１及び図２で表されるように、給水口形成面３０とは反対側のモータ部取り付け方向側（−Ｚ方向側）からモータ部７が取り付けられる構成である。そして、リブ２５は、図２及び図８で表されるように、モータ部取り付け方向側とは反対側のリブ形成方向側（＋Ｚ方向側）に突出するように、給水口形成面３０に形成されている。
【００４１】
すなわち、本実施例のポンプ１は、給水口８が給水口形成面３０に設けられ、側面２８に吐出口９と排水栓部１０とが設けられ、給水口形成面３０とは反対側にモータ部７が設けられる、ケーシング構成のポンプであるが、このようなケーシング構成のポンプにおいてケーシング３の変形を抑制している。
【００４２】
ここで、本実施例のケーシング３は、図８から図１１で表されるように、ケーシング内（ポンプ室３３）に、給水口８に繋がる孔部８ａ、吐出口９に繋がる孔部９ａ、排水栓部１０に繋がる孔部１０ａ、を備えている。そして、給水口８から孔部８ａまでで流体の給水経路、孔部９ａから吐出口９までで流体の吐出経路、孔部１０ａから排水栓部１０までで流体の排水経路１０ｂ（図２及び図８参照）を構成している。
【００４３】
また、図１、図２、図７から図１１で表されるように、ケーシング３の側面２８には、肉厚部２６が形成されている。このようにケーシング３の側面２８に肉厚部２６を形成していることで、該肉厚部２６によりケーシング３の変形を効果的に抑制している。
【００４４】
ここで、本実施例のケーシング３は、ケーシング３の外側の側面２８に肉厚部２６を形成している構成であるが、ケーシング３の内側の側面に肉厚部を形成している構成としてもよい。さらには、ケーシング３の外側の側面２８とケーシング３の内側の側面との両方に肉厚部を形成している構成としてもよい。
【００４５】
なお、排水経路１０ｂは、ケーシング３の側面２８における上側部分２８ａまで至らないように構成され、同様に、肉厚部２６も、ケーシング３の側面２８における上側部分２８ａまで至らないように構成されている。これは、詳細は後述する補強板２の折り曲げ部（側面対向部２ａ）が、簡単な構成で側面２８（具体的には、上側部分２８ａ）と広い接触面で接触できる（すなわち、効果的にケーシング３を補強できる）ようにしているためである。
【００４６】
また、図７から図１１で表されるように、ケーシング３には、給水口形成面３０の端部近傍に、前記ネジ１６を通す孔部３２と、所望の場所に本実施例のポンプ１を取り付けることができるように取り付け孔３１（ネジなどを通すことが可能な孔）と、を備えている。
【００４７】
（隔壁部材４）  
次に、本実施例のポンプ１の隔壁部材４について説明する。  
本実施例の隔壁部材４は、上面部４ａと、円柱状の凹部４ｂと、を有している。図１から図３で表されるように、上面部４ａの水平方向（Ｘ方向及びＹ方向）の端部には、ケーシング３の肉厚部２６に対応して、水平方向（Ｘ方向及びＹ方向）に肉厚となる肉厚部２７が形成されている。本実施例のポンプ１は、水平方向（Ｘ方向及びＹ方向）に肉厚となるケーシング３の肉厚部２６と隔壁部材４の肉厚部２７とでシール部材１２を挟むので、リング状のシール部材１２を確りと挟むことができる。このため、本実施例のポンプ１は、単にポンプ１の変形を抑制しているだけでなく、シール部材１２がずれて流体が漏れ出すことも抑制している。
【００４８】
別の表現をすると、本実施例のポンプ１は、ケーシング３のモータ部取り付け方向側（−Ｚ方向側）の端部にシール部材１２が配置され（図６参照）、肉厚部２６は、ケーシング３のモータ部取り付け方向側の端部まで形成されている（図９及び図１０参照）。そして、肉厚部２６が形成された該端部と肉厚部２７が形成された隔壁部材４の上面部４ａとにより、広い面積でシール部材を挟み込むことが可能になっている。本実施例のポンプ１は、このような構成となっていることで、シール部材１２のずれなどによる流体の漏れなどを効果的に抑制している。
【００４９】
（補強板２）  
次に、本実施例のポンプ１の要部である補強板２について説明する。  
ここで、図１２は、本実施例のポンプ１の補強板２を表す概略底面図である。また、図１３及び図１４は、本実施例のポンプ１の補強板２を表す概略斜視図であり、夫々、異なる方向から見た斜視図である。
【００５０】
上記のように、本実施例のポンプ１は、給水口８と、吐出口９と、が設けられたケーシング３と、羽根部５ａを有する回転子５を有し、回転子５を回転させることでケーシング内において給水口８から吐出口９に向かう流れを作るモータ部７と、ケーシング３に対して、モータ部７が取り付けられるモータ部取り付け方向側とは反対側から、取り付けられる補強板２と、を備えている。そして、図１、及び、図１２から図１４で表されるように、補強板２は、ケーシング３におけるモータ部取り付け方向側に対する側面２８に対向する、側面対向部２ａを有している。このように、側面対向部２ａを補強板２に形成していることにより、補強板２の強度自体を高くすることができている。つまり、例えば補強板２が平板である場合に比べて、側面対向部２ａを備える補強板２は、Ｚ方向（厚み方向）による強度を確保することができるため、特にケーシング３および補強板２自身のＺ方向での変形を抑制することができる。したがって、本実施例のポンプ１は、高い強度の補強板２によりケーシング３の変形を抑制できる構成になっている。
【００５１】
なお、側面対向部２ａは、ケーシング３の側面２８に当接していてもよい。この場合、側面対向部２ａがケーシング３の側面２８に当接することで、ケーシング３を側面側から補強でき、ケーシング３の変形を効果的に抑制できるためである。
【００５２】
また、図１２から図１４で表されるように、本実施例の補強板２は、ケーシング３に対する固定部としての役割を有するネジ孔２９が形成されている。具体的には、ネジ孔２９は、図１及び図６で表されるネジ１６の挿入孔である。そして、図１２で表されるように、ネジ孔２９は、側面対向部２ａの対向領域Ｒとは異なる位置に形成されている。
【００５３】
固定部が側面対向部２ａの対向領域Ｒに形成される構成の場合、側面対向部２ａの形成に伴い固定部が変形する場合がある。例えば、本実施例のように固定部がネジ孔２９である場合、側面対向部２ａを形成するために補強板２を折り曲げる際に、本来は円形のネジ孔２９が補強板２を折り曲げる影響で楕円形状などに変形してしまう場合がある。ネジ孔２９が変形してしまうと、ネジ１６が挿入できなくなることや、ケーシング３に対して補強板２を適切に固定できなくなることが生じ得る。しかしながら、本実施例の補強板２は、固定部（ネジ孔２９）が側面対向部２ａの対向領域Ｒとは異なる位置に形成されているので、固定部が変形することを抑制している。したがって、補強板２をケーシング３に適切に固定することができ、ケーシング３の変形を抑制できる。  
なお、「側面対向部２ａの対向領域Ｒ」とは、図１２で表されるように、補強板２におけるケーシング３の側面２８と対向する領域の延長線上の領域を意味している。
【００５４】
また、図１２から図１４で表されるように、本実施例の補強板２は、平面視で略矩形であって、４隅にネジ孔２９が形成され、ネジ孔２９間の領域に側面対向部２ａを有している。このように、補強板２は、略矩形であって、４隅に固定部が形成され、固定部間の少なくとも１つの領域に側面対向部２ａを有することが好ましい。このような構成とすることで、４隅を固定部でしっかり固定でき、かつ、４隅の間には側面対向部２ａを有するため、変形しやすい４隅の間の領域（固定部間の領域）の強度を簡単な構成で高くすることができるためである。すなわち、このような構成とすることで、簡単に、固定部の変形を効果的に抑制できる補強板２を形成できる。
【００５５】
また、本実施例のポンプ１においては、ケーシング３の給水口形成面３０に形成されたリブ２５が、補強板２に接触するように構成されている。すなわち、リブ２５を補強板２に接触させていることで、該補強板２によりケーシング３の変形を特に効果的に抑制している。
【００５６】
［実施例２］（図１５〜図１７）  
以下に、本発明の実施例２に係るポンプ１について説明する。  
ここで、図１５は、本実施例のポンプ１の概略斜視図であり、実施例１のポンプ１の図１に対応する図である。また、図１６は、図１５で表されるポンプ１から補強板２を外した状態を表す概略斜視図であり、実施例１のポンプ１の図２に対応する図である。そして、図１７は、本実施例のポンプ１の補強板２を表す概略斜視図である。なお、上記実施例１と共通する構成部材は同じ符号で示しており、詳細な説明は省略する。
【００５７】
本実施例のポンプ１は、補強板２の形状及びケーシング３の形状以外は、実施例１のポンプ１と同様の形状をしている。このため、補強板２及びケーシング３以外の構成部材の説明は省略する。
【００５８】
（補強板２）  
実施例１のポンプ１の補強板２は、図１２から図１４で表されるように、平面視で略矩形であって、その４隅のネジ孔２９間の領域のすべてに側面対向部２ａを有していた。すなわち、側面対向部２ａを４つ有していた。一方、本実施例のポンプ１の補強板２は、図１７で表されるように、平面視で略矩形であって、その４隅のネジ孔２９間の領域のうちの３箇所のみに側面対向部２ａを有している。
【００５９】
このように、本発明は、側面対向部２ａの数に限定はない。また、実施例１および実施例２の補強板２は、何れも略矩形であるが、補強板２の形状も特に限定はない。ケーシング３の形状などに合せて、補強板２をどのような形状にしてもよい。
【００６０】
（ケーシング３）  
また、図７から図１１などで表されるように、実施例１のポンプ１のケーシング３は、排水栓部１０を有していた。一方、図１５及び図１６で表されるように、本実施例のポンプ１のケーシング３は、排水栓部１０を有していない。また、実施例１のケーシング３のリブ２５と、本実施例のケーシング３のリブ２５とでは、形状が全く異なる。
【００６１】
このように、本発明は、ケーシング３の形状にも特に限定はない。ポンプ１の使用環境などに合せて、ケーシング３をどのような形状にしてもよい。
【００６２】
本発明は、上述の実施例に限られるものではなく、その趣旨を逸脱しない範囲において種々の構成で実現することができる。例えば、発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。  
また、その技術的特徴が本明細書中に必須なものとして説明されていなければ、適宜、削除することが可能である。
【符号の説明】
【００６３】
１…ポンプ、２…補強板、２ａ…側面対向部、３…ケーシング、４…隔壁部材、
４ａ…上面部、４ｂ…凹部、５…回転子、５ａ…羽根部、５ｂ…円筒形状部、
６…モータ部ケーシング、７…モータ部、８…給水口、８ａ…孔部、９…吐出口、
９ａ…孔部、１０…排水栓部、１０ａ…孔部、１０ｂ…排水経路、１１…栓、
１２…シール部材、１３…ロータ、１４…ステータ、１５…回路基板、１６…ネジ、
１７…ナット、１８…駆動用磁石、１９…スリーブ、２０…回転軸、
２１…駆動用コイル、２２…ステータコア、２３…インシュレータ、２４…端子ピン、
２５…リブ、２５ａ…リブ、２６…ケーシング３の肉厚部、
２７…隔壁部材４の肉厚部、２８…ケーシング３の側面、
２８ａ…側面２８における上側部分、２９…ネジ孔（固定部）、３０…給水口形成面、
３１…取り付け孔、３２…孔部、３３…ポンプ室、Ｒ…側面対向部２ａの対向領域
【図１】
2019157695.tif 000003
【図２】
2019157695.tif 000004
【図３】
2019157695.tif 000005
【図４】
2019157695.tif 000006
【図５】
2019157695.tif 000007
【図６】
2019157695.tif 000008
【図７】
2019157695.tif 000009
【図８】
2019157695.tif 000010
【図９】
2019157695.tif 000011
【図１０】
2019157695.tif 000012
【図１１】
2019157695.tif 000013
【図１２】
2019157695.tif 000014
【図１３】
2019157695.tif 000015
【図１４】
2019157695.tif 000016
【図１５】
2019157695.tif 000017
【図１６】
2019157695.tif 000018
【図１７】
2019157695.tif 000019